(57)【要約】【課題】従来と比べてより迅速に媒体搬送異常を検知できるようにする。【解決手段】媒体を給紙する給紙部と、前記給紙部により給紙される前記媒体を１枚ずつ分離して搬送する分離部と、前記分離部よりも前記媒体の搬送方向下流側に設けられ、前記媒体の搬送方向と直交する前記媒体の幅方向の一端側が通過する、搬送路の一端部側に配置される、前記媒体の幅方向の一端部の通過及び重送を検知する第１のセンサと、前記媒体の幅方向の前記一端側は通過せずに当該一端側とは異なる当該媒体の幅方向の他端側が通過する、前記搬送路の他端部側に配置され、前記媒体の幅方向の他端部の通過及び重送を検知する第２のセンサと、前記第１のセンサ及び前記第２のセンサのそれぞれの検知結果をもとに、前記媒体が斜行しているか否か、及び重送しているか否かを判断する検知部とを設けた。【選択図】図６
2019193219.tif 000002
【特許請求の範囲】
【請求項１】
媒体を給紙する給紙部と、
前記給紙部により給紙される前記媒体を１枚ずつ分離して搬送する分離部と
前記分離部よりも前記媒体の搬送方向下流側に設けられ、前記媒体の搬送方向と直交する前記媒体の幅方向の一端側が通過する、搬送路の一端部側に配置される、前記媒体の幅方向の一端部の通過及び重送を検知する第１のセンサと、
前記媒体の幅方向の前記一端側は通過せずに当該一端側とは異なる当該媒体の幅方向の他端側が通過する、前記搬送路の他端部側に配置され、前記媒体の幅方向の他端部の通過及び重送を検知する第２のセンサと、
前記第１のセンサ及び前記第２のセンサのそれぞれの検知結果をもとに、前記媒体が斜行しているか否か、及び重送しているか否かを判断する検知部と
を備える
ことを特徴とする媒体搬送装置。
【請求項２】
前記第１のセンサと前記第２のセンサは、前記媒体の幅方向の長さに合わせて間隔を調整できる
ことを特徴とする請求項１に記載の媒体搬送装置。
【請求項３】
前記給紙部によって給紙される際に前記媒体の幅方向の位置を規制する、前記媒体の幅方向の一端側に配置される第１の媒体ガイド及び前記媒体の幅方向の他端側に配置される第２の媒体ガイドを備え、
前記第１の媒体ガイドと前記第２の媒体ガイドは、前記媒体の幅方向の長さに合わせて間隔を調整でき、
前記第１のセンサと前記第２のセンサは、前記第１の媒体ガイドと前記第２の媒体ガイドと連動して、前記媒体の幅方向の長さに合わせて間隔を調整できる
ことを特徴とする請求項２に記載の媒体搬送装置。
【請求項４】
前記第１のセンサは、前記第１の媒体ガイドから前記媒体の搬送方向に延びるセンサ搭載部に設けられ、前記第２のセンサは、前記第２の媒体ガイドから前記媒体の搬送方向に延びるセンサ搭載部に設けられている
ことを特徴とする請求項３に記載の媒体搬送装置。
【請求項５】
前記検知部は、
前記第１のセンサ及び前記第２のセンサのそれぞれの検知結果をもとに、複数の前記媒体の角部が留められているか否かを判断する
ことを特徴とする請求項１〜４のいずれかに記載の媒体搬送装置。
【請求項６】
前記検知部は、
前記第１のセンサ及び前記第２のセンサのそれぞれから今回得られた検知結果と、前回得られた検知結果とをもとに、前記媒体が斜行しているか否か、重送しているか否か、及び複数の前記媒体の角部が留められているか否かを判断する
ことを特徴とする請求項５に記載の媒体搬送装置。
【請求項７】
前記給紙部及び前記分離部を制御する搬送制御部と、
媒体搬送装置全体を制御する装置制御部と
を備える
ことを特徴とする請求項５又は６に記載の媒体搬送装置。
【請求項８】
前記装置制御部は、
前記検知部によって前記媒体が斜行している、又は重送している、もしくは留められていると判断されると、前記媒体の搬送を停止するよう前記搬送制御部に指示する
ことを特徴とする請求項７に記載の媒体搬送装置。
【請求項９】
前記装置制御部は、
前記検知部によって前記媒体が斜行している、又は重送している、もしくは留められていると判断されると、前記媒体の搬送を停止するよう前記搬送制御部に指示するとともに、前記検知部による判断結果を示す画面を表示部に表示させる
ことを特徴とする請求項８に記載の媒体搬送装置。
【請求項１０】
請求項１〜９のいずれかに記載の媒体搬送装置と、
前記媒体搬送装置により搬送されてくる媒体を画像として読み取る画像読取部と
を備える
ことを特徴とする画像読取装置。
【発明の詳細な説明】
【技術分野】
【０００１】
本発明は、媒体搬送装置及び画像読取装置に関するものであり、例えば、積載された媒体を１枚ずつ分離して搬送する媒体搬送装置及びこの媒体搬送装置を備えた画像読取装置に適用して好適なものである。
【背景技術】
【０００２】
媒体搬送装置は、積載された媒体を１枚ずつ分離して搬送部へと給紙する給紙部を備えている。媒体搬送装置では、給紙部により媒体を給紙する際に、様々なセンサを利用して媒体の重送や斜行などの媒体搬送異常を検知するようになっている。つまり、媒体搬送装置では、媒体搬送異常のまま媒体を搬送して媒体を破損したりすることのないように、給紙時に媒体搬送異常を検知して対処するようになっている。
【０００３】
このような媒体搬送装置では、より少ないセンサ数で媒体搬送異常を検知できるようにすることが求められている。そこで従来、重送検知センサ一組（受光部と発光部とで一組）を、給紙される媒体の搬送方向と直交する幅方向の中央に配置するとともに、斜行検知センサ二組を、それぞれ給紙される媒体の幅方向の両端に配置することで、媒体の重送と斜行とを検知できるようにした媒体搬送装置が提案されている（例えば特許文献１参照）。
【０００４】
また、重送と斜行の両方を検知可能な重送斜行検知センサ一組を、給紙される媒体の幅方向の一端側に配置するとともに、斜行のみを検知可能な斜行検知センサ一組を、媒体の幅方向の他端側に配置することで、より少ないセンサ数で媒体の重送と斜行とを検知できるようにした媒体搬送装置も提案されている（例えば特許文献２参照）。
【先行技術文献】
【特許文献】
【０００５】
【特許文献１】特開２０１７−１１４６３４号公報
【特許文献２】特開２０１２−１６６９２２号公報
【発明の概要】
【発明が解決しようとする課題】
【０００６】
しかしながら、従来の媒体搬送装置では、重送検知を媒体の幅方向の中央、もしくは媒体の幅方向の一端側でしか行うことができない。このため、例えば４つの角のうちの１つがホチキスなどにより留められた複数枚の媒体が給紙された場合、ホチキスなどにより留められた部分（これを留め部と呼ぶ）の位置などによっては、媒体の重送を検知するまでに時間がかかってしまうことがあった。
【０００７】
媒体の重送を検知するまでに時間がかかると、その間に、留め部に過剰な負荷がかかりながら媒体が搬送されることになり、媒体が曲がったり、引っ張られて破損したりする可能性が高くなる。
【０００８】
このように、従来の媒体搬送装置では、媒体搬送異常を検知するまでに時間がかかる場合があり、この場合に媒体が破損してしまうことがあるという問題を有していた。
【０００９】
本発明は以上の点を考慮したものであり、従来と比べてより迅速に媒体搬送異常を検知できる媒体搬送装置及び画像読取装置を提案しようとするものである。
【課題を解決するための手段】
【００１０】
本発明は、媒体を給紙する給紙部と、前記給紙部により給紙される前記媒体を１枚ずつ分離して搬送する分離部と、前記分離部よりも前記媒体の搬送方向下流側に設けられ、前記媒体の搬送方向と直交する前記媒体の幅方向の一端側が通過する、搬送路の一端部側に配置される、前記媒体の幅方向の一端部の通過及び重送を検知する第１のセンサと、前記媒体の幅方向の前記一端側は通過せずに当該一端側とは異なる当該媒体の幅方向の他端側が通過する、前記搬送路の他端部側に配置され、前記媒体の幅方向の他端部の通過及び重送を検知する第２のセンサと、前記第１のセンサ及び前記第２のセンサのそれぞれの検知結果をもとに、前記媒体が斜行しているか否か、及び重送しているか否かを判断する検知部とを設けた。
【００１１】
このように、第１のセンサと第２のセンサとによって重送検知を媒体の幅方向の一端側と他端側の両方で行うようにしたことにより、重送検知を従来と比べてより迅速に行うことができる。
【発明の効果】
【００１２】
かくして、本発明は、従来と比べてより迅速に媒体搬送異常を検知できる媒体搬送装置及び画像読取装置を実現できる。
【図面の簡単な説明】
【００１３】
【図１】画像読取装置の外観斜視図である。
【図２】画像読取装置の内部構成を示す側面断面図である。
【図３】片面読取モード時の原稿の搬送経路を示す側面断面図である。
【図４】両面読取モード時の原稿の搬送経路を示す側面断面図である。
【図５】画像読取装置の機能構成を示すブロック図である。
【図６】給紙トレイとその近傍部の構成を示す上面図及び断面図である。
【図７】正常に搬送されている状態の原稿と、そのときに重送検知センサから得られる信号レベルの変化を示す図である。
【図８】重送している状態の原稿と、そのときに重送検知センサから得られる信号レベルの変化を示す図である。
【図９】斜行している状態の原稿と、そのときに重送検知センサから得られる信号レベルの変化を示す図である。
【図１０】ホチキスなどにより留められた留め部が搬送方向下流側となる向きで搬送されている状態の原稿と、そのときに重送検知センサから得られる信号レベルの変化を示す図である。
【図１１】ホチキスなどにより留められた留め部が搬送方向上流側となる向きで搬送されている状態の原稿と、そのときに重送検知センサから得られる信号レベルの変化を示す図である。
【図１２】検知部が原稿の搬送状態を判断する基準を示す遷移図である。
【図１３】２枚の原稿がホチキスなどにより留められた状態で搬送され、且つ２枚目の原稿が斜行せずに搬送されている状態を示す上面図である。
【図１４】２枚の原稿がホチキスなどにより留められた状態で搬送され、且つ２枚目の原稿が、留め部とは反対側の端部が留め部より先行するように斜行しながら搬送されている状態を示す上面図である。
【図１５】２枚の原稿がホチキスなどにより留められた状態で搬送され、且つ２枚目の原稿が、留め部とは反対側の端部が留め部より後行するように斜行しながら搬送されている状態を示す上面図である。
【図１６】搬送状態判断処理の手順を示すフローチャートである。
【図１７】搬送制御処理の手順を示すフローチャートである。
【図１８】エラー画面の表示例を示す図である。
【発明を実施するための形態】
【００１４】
以下、発明を実施するための形態（以下、これを実施の形態と呼ぶ）について、図面を用いて詳細に説明する。
【００１５】
［１．画像読取装置の全体構成］
まず図１及び図２を用いて、本実施の形態による画像読取装置１の全体構成について説明する。尚、図１は、画像読取装置１の外観斜視図であり、図２は、画像読取装置１の側面断面図である。この画像読取装置１は、例えば、図示しない複合機やコピー機などの一部であり、図１に示す矢印Ａ方向と対向する面を正面として、この正面の反対側を背面とし、さらに矢印Ａ方向から見て右側の面を右側面、左側の面を左側面とする。そして、画像読取装置１の正面から背面への方向を後方向、背面から正面への方向を前方向、画像読取装置１の下側から上側への方向を上方向、上側から下側への方向を下方向、画像読取装置１の右側面から左側面への方向を左方向、左側面から右側面への方向を右方向とする。
【００１６】
図１に示すように、この画像読取装置１は、平板状のフラットベッドユニット２と、このフラットベッドユニット２上に重なるように設けられた媒体搬送装置３とを有している。媒体搬送装置３は、その後端部が、フラットベッドユニット２により回動自在に支持されていて、フラットベッドユニット２に対して開閉可能となっている。この媒体搬送装置３には、これから読み取る媒体としての原稿Ｐ（図１では省略）を載置する給紙トレイ１０と、この給紙トレイ１０の下方に位置していて、読み取り後の原稿Ｐが排出される排出トレイ１１とを有している。また、給紙トレイ１０には、媒体ガイド１２Ａと媒体ガイド１２Ｂ（図２では省略）が、給紙トレイ１０に載置された原稿Ｐの搬送方向（図１に示す矢印Ｂ方向）と直交する、給紙トレイ１０の幅方向に対向配置されている。これら媒体ガイド１２Ａ、１２Ｂは、給紙トレイ１０の幅方向に移動可能となっていて、給紙トレイ１０に載置された原稿Ｐの幅に合わせて間隔を調整できるようになっている。
【００１７】
さらに、フラットベッドユニット２には、その前端部（つまり画像読取装置１の正面）に、操作パネル１３が設けられている。操作パネル１３は、例えば、原稿読み取りに関する各種設定や、画像読取装置１の装置状態などを表示する表示部と、画像読取装置１への命令を入力するための操作部とを有している。
【００１８】
また、図２に示すように、媒体搬送装置３の内部には、給紙トレイ１０と排出トレイ１１とを繋ぐ搬送路Ｒと、給紙トレイ１０の上方に位置するホップローラ２０とが設けられている。さらに媒体搬送装置３の内部には、搬送路Ｒに沿って、原稿搬送方向上流側から順に、リタードローラ対２１、重送検知センサ２２、搬送ローラ対２３、第１セパレータ２４、第１反転ローラ対２５、レジストローラ対２６、原稿押さえ部材２７、スキャンローラ対２８、第２セパレータ２９、第２反転ローラ３０、プレッシャローラ３１、３２が設けられている。また、フラットベッドユニット２には、媒体搬送装置３と対向する上端面に板状の読取ガラス４０が設けられ、さらにこの読取ガラス４０の下面側に読取センサ４１が設けられている。
【００１９】
搬送路Ｒは、図３に点線矢印Ａｒ１として示す、原稿Ｐの片面のみを読み取る片面読取モード時に原稿Ｐが通る搬送経路と、図４に点線矢印Ａｒ２、一点鎖線矢印Ａｒ３、二点鎖線矢印Ａｒ４として順に示す、原稿Ｐの両面を読み取る両面読取モード時に原稿Ｐが通る搬送経路とを形成している。尚、以下の説明では、片面読取モード時の原稿搬送方向を、原稿搬送方向と略称する。
【００２０】
図２に戻り、ホップローラ２０は、給紙トレイ１０の原稿搬送方向下流側の上方に配置されていて、給紙トレイ１０に載置された最上部の原稿Ｐに接触して、この原稿Ｐを搬送路Ｒへと送り出すようになっている。リタードローラ対２１は、ホップローラ２０より原稿搬送方向下流側に配置されていて、搬送路Ｒを挟んで対向配置されたフィードローラ２１Ａとリタードローラ２１Ｂとを有している。このリタードローラ対２１は、トルクリミッタを有するリタードローラ２１Ｂがフィードローラ２１Ａに圧接されていて、フィードローラ２１Ａとリタードローラ２１Ｂとの間に原稿Ｐが２枚以上重なった状態で送られてくると、リタードローラ２１Ｂがトルクリミッタにより回転を停止して最上部の原稿Ｐのみを通過させる。このように、リタードローラ対２１は、ホップローラ２０により送られてくる原稿Ｐを１枚ずつ分離して搬送するようになっている。尚、原稿Ｐの重送具合によっては、リタードローラ対２１では原稿Ｐの重送を解消できない場合もある。この場合、画像読取装置１では、リタードローラ対２１の原稿搬送方向下流側に位置する重送検知センサ２２で原稿Ｐの重送を検知して、原稿Ｐの搬送を停止するなどの処置を行うようになっている。
【００２１】
重送検知センサ２２は、原稿Ｐの通過及び重送を検知する超音波センサであり、リタードローラ対２１よりも原稿搬送方向下流側のリタードローラ対２１近傍に配置されている。尚、詳しくは後述するが、画像読取装置１では、重送検知センサ２２の検知結果をもとに、原稿Ｐの搬送異常として、重送、斜行、ホチキスなどによる留めを検知できるようになっている。
【００２２】
搬送ローラ対２３は、重送検知センサ２２よりも原稿搬送方向下流側に配置されていて、搬送路Ｒを挟んで対向配置された駆動ローラ２３Ａと従動ローラ２３Ｂとを有している。この搬送ローラ対２３は、搬送路Ｒに沿って原稿Ｐを搬送するようになっている。第１セパレータ２４は、搬送ローラ対２３より原稿搬送方向下流側に配置されていて、読取モード（片面読取モード又は両面読取モード）に応じて、原稿Ｐの搬送経路を切り替えるようになっている。第１反転ローラ対２５は、第１セパレータ２４より原稿搬送方向下流側に配置されていて、搬送路Ｒを挟んで対向配置された１対のローラを有している。この第１反転ローラ対２５は、読み取りモードに応じて、原稿Ｐの搬送方向を反転（切り替える）するようになっている。
【００２３】
レジストローラ対２６は、第１反転ローラ対２５より原稿搬送方向下流側に配置されていて、搬送路Ｒを挟んで対向配置された１対のローラを有している。このレジストローラ対２６は、停止中の１対のローラのニップ部に原稿Ｐの先端を突き当てることで原稿Ｐの斜行を補正した後、１対のローラの回転を開始することで原稿Ｐを搬送するようになっている。原稿押さえ部材２７は、レジストローラ対２６より原稿搬送方向下流側に設けられ、フラットベッドユニット２の読取ガラス４０と対向配置されている。この原稿押さえ部材２７は、図示しない付勢部材により読取ガラス４０側に付勢されていて、搬送路Ｒに沿って搬送されてくる原稿Ｐを読取ガラス４０に押し付けるようになっている。
【００２４】
読取センサ４１は、必要に応じて、読取ガラス４０を挟んで原稿押さえ部材２７と対向する位置に移動させられ、このとき読取センサ４１の上方に位置する搬送路Ｒ上の読取位置Ｒｐを原稿Ｐが通過する際に、この原稿Ｐの画像を読み取る（スキャンする）ようになっている。スキャンローラ対２８は、原稿押さえ部材２７より原稿搬送方向下流側に配置されていて、搬送路Ｒを挟んで対向配置された１対のローラを有している。このスキャンローラ対２８は、読取センサ４１により読み取られた原稿Ｐを搬送するようになっている。
【００２５】
第２セパレータ２９は、スキャンローラ対２８より原稿搬送方向下流側に配置されていて、読取モードに応じて、原稿Ｐの搬送経路を切り替えるようになっている。第２反転ローラ３０は、第２セパレータ２９より原稿搬送方向下流側の排出トレイ１１近傍に配置されている。さらにこの第２反転ローラ３０の上側及び下側には、第２反転ローラ３０に圧接されたプレッシャローラ３１及びプレッシャローラ３２が配置されている。
【００２６】
第２反転ローラ３０と上側のプレッシャローラ３１は、両面読取モード時に、搬送方向を反転させて原稿Ｐを搬送するようになっている。また、第２反転ローラ３０と下側のプレッシャローラ３２は、片面読取モード時に片面の読み取りが完了した原稿Ｐ、もしくは両面読取モード時に両面の読み取りが完了した原稿Ｐを、排出トレイ１１に排出するようになっている。画像読取装置１の全体構成は、以上のようになっている。
【００２７】
［２．画像読取装置の機能構成］
次に、図５に示すブロック図を用いて、画像読取装置１の機能構成について説明する。画像読取装置１は、機能構成として、装置制御部５０と、記憶部５１と、搬送制御部５２と、画像読取部５３と、操作パネル１３と、重送検知センサ２２とを有している。
【００２８】
装置制御部５０は、記憶部５１に格納されているプログラムを読み出して実行することにより、画像読取装置１全体を制御する。具体的には、操作パネル１３を介して入力された命令などに応じて各部を制御するとともに、各種情報を操作パネル１３に表示するようになっている。また、装置制御部５０は、重送検知センサ２２による検知結果をもとに原稿Ｐの搬送状態を判断する検知部５０Ａとしても機能する。記憶部５１は、プログラムや、原稿Ｐから読み取った画像データなどを記憶する。
【００２９】
搬送制御部５２は、装置制御部５０からの指示に基づいて、原稿Ｐを搬送する各部（ホップローラ２０、リタードローラ対２１、搬送ローラ対２３、第１セパレータ２４、第１反転ローラ対２５、レジストローラ対２６、スキャンローラ対２８、第２セパレータ２９、第２反転ローラ３０など）を制御する。画像読取部５３は、読取センサ４１が原稿Ｐから読み取った画像に対して所定の画像処理を施すことで画像データを得、この画像データを記憶部５１に記憶する。画像読取装置１の機能構成は、以上のようになっている。
【００３０】
［３．画像読取装置の読取動作］
ここで、片面読取モード時の画像読取装置１の読取動作について説明する。画像読取装置１の装置制御部５０は、片面読取モード時、搬送制御部５２及び画像読取部５３を制御して、給紙トレイ１０に重ねて載置された原稿Ｐを、図３に矢印Ａｒ１で示す搬送経路に沿って搬送しながら、原稿Ｐの片面の画像を読み取り、排出トレイ１１に排出する。すなわち、搬送制御部５２は、ホップローラ２０により上から順に給紙トレイ１０から搬送路Ｒへと送り出す。次に、搬送制御部５２は、ホップローラ２０により送り出した原稿Ｐを、リタードローラ対２１により１枚ずつ分離して、搬送ローラ対２３へと搬送する。ここで、装置制御部５０は、重送検知センサ２２の検知結果をもとに検知部５０Ａで原稿Ｐの搬送状態を判断して、搬送状態が異常（重送、斜行、留め）であれば、搬送制御部５２に原稿Ｐの搬送を停止させるとともに、操作パネル１３上に搬送異常が発生している旨を表示する。尚、装置制御部５０の検知部５０Ａは、重送検知センサ２２の検知結果をもとに、一定時間（例えば１０ミリ秒）ごとに、原稿Ｐの搬送状態を判断するようになっている。
【００３１】
これに対して、原稿Ｐの搬送状態が正常であれば、装置制御部５０は、搬送制御部５２に原稿Ｐの搬送を継続させる。そして、搬送制御部５２は、原稿Ｐを搬送ローラ対２３から第１セパレータ２４を介して第１反転ローラ対２５へと搬送して、さらに第１反転ローラ対２５によりレジストローラ対２６へと搬送する。さらに、搬送制御部５２は、レジストローラ対２６により原稿Ｐの斜行を補正した後、この原稿Ｐをレジストローラ対２６により読取位置Ｒｐへと搬送する。ここで、画像読取部５３は、原稿Ｐが読取位置Ｒｐを通過する際に、この原稿Ｐの画像を読取センサ４１により読み取る。その後、搬送制御部５２は、原稿Ｐをスキャンローラ対２８へと搬送する。最後に、搬送制御部５２は、スキャンローラ対２８から第２セパレータ２９を介して第２反転ローラ３０及びプレッシャローラ３２へと原稿Ｐを搬送し、第２反転ローラ３０及びプレッシャローラ３２により排出トレイ１１に排出する。片面読取モード時の画像読取装置１の読取動作は、以上のようになっている。
【００３２】
一方、両面読取モード時、画像読取装置１は、給紙トレイ１０に重ねて載置された原稿Ｐを、図４に矢印Ａｒ２、Ａｒ３、Ａｒ４の順に示す搬送経路に沿って搬送しながら、原稿Ｐの両面の画像を順に読み取り、排出トレイ１１に排出する。両面読取モード時の読取動作の詳細は省略する。
【００３３】
［４．給紙トレイとその近傍部の構成］
次に、給紙トレイ１０とその近傍部の構成について図６（Ａ）、（Ｂ）を用いて詳しく説明する。図６（Ａ）は、給紙トレイ１０とその近傍部を上から見た上面図であり、図６（Ｂ）は、給紙トレイ１０とその近傍部を、図６（Ａ）に示すＣ−Ｃ切断線により切断した場合の断面図である。尚、図６（Ａ）、（Ｂ）は、給紙トレイ１０とその近傍部について、各部のサイズ及び形状などを簡略化するとともに、一部を省略した図となっている。
【００３４】
図６（Ａ）に示すように、給紙トレイ１０には、板状の媒体ガイド１２Ａと媒体ガイド１２Ｂが、給紙トレイ１０の幅方向（前後方向）に対向配置されている。これら媒体ガイド１２Ａ、１２Ｂは、給紙トレイ１０の幅方向に移動可能となっていて、給紙トレイ１０に載置された原稿Ｐの幅に合わせて間隔を調整できるようになっている。尚、媒体ガイド１２Ａ、１２Ｂは、例えば一方を移動させると、これに追従して他方も移動するようになっていて、給紙トレイ１０の幅方向の中心ＣＬから媒体ガイド１２Ａまでの距離と、中心ＣＬから媒体ガイド１２Ｂまでの距離とが、常に等しくなるようになっている。
【００３５】
さらに、媒体ガイド１２Ａ、１２Ｂよりも、矢印Ｂで示す原稿搬送方向下流側には、ホップローラ２０が設けられている。ホップローラ２０は、給紙トレイ１０の原稿搬送方向下流側の上方に配置されていて、且つ給紙トレイ１０の幅方向の中心部に配置されている。さらに、ホップローラ２０よりも、原稿搬送方向下流側には、リタードローラ対２１が設けられている。リタードローラ対２１を構成するフィードローラ２１Ａとリタードローラ２１Ｂは、ホップローラ２０と同程度の幅を有するローラであり、ホップローラ２０と同様、給紙トレイ１０の幅方向の中心部に配置されている。
【００３６】
さらに、リタードローラ対２１よりも原稿搬送方向下流側には、重送検知センサ２２Ａと重送検知センサ２２Ｂとが、給紙トレイ１０の幅方向に対向配置されている。重送検知センサ２２Ａは、媒体ガイド１２Ａから原稿搬送方向に延びるセンサ搭載部６０Ａの先端に設けられていて、媒体ガイド１２Ａとともに、給紙トレイ１０の幅方向に移動可能となっている。
【００３７】
より具体的には、媒体ガイド１２Ａは、下端部の一部が、給紙トレイ１０に設けられた図示しない孔を通り、給紙トレイ１０の載置面１０Ａとは反対側の裏面側に突出していて、給紙トレイ１０の裏面側に位置する下端部の一部から、センサ搭載部６０Ａが原稿搬送方向に延びている。つまり、センサ搭載部６０Ａも、給紙トレイ１０の裏面側に位置している。さらに、センサ搭載部６０Ａの先端に設けられた重送検知センサ２２Ａは、センサ搭載部６０Ａの先端付近に設けられた、給紙トレイ１０の孔６１Ａから、給紙トレイ１０の載置面１０Ａ側に突出している。この孔６１Ａは、重送検知センサ２２Ａの移動を妨げないように、給紙トレイ１０の幅方向に延びている。
【００３８】
一方の重送検知センサ２２Ｂは、媒体ガイド１２Ｂから原稿搬送方向に延びるセンサ搭載部６０Ｂの先端に設けられていて、媒体ガイド１２Ｂとともに、給紙トレイ１０の幅方向に移動可能となっている。このセンサ搭載部６０Ｂは、センサ搭載部６０Ａと同様、給紙トレイ１０の裏面側に位置していて、重送検知センサ２２Ｂは、重送検知センサ２２Ａと同様、給紙トレイ１０の孔６１Ｂから、給紙トレイ１０の載置面１０Ａ側に突出している。
【００３９】
このように、重送検知センサ２２Ａ、２２Ｂは、媒体ガイド１２Ａ、１２Ｂとともに、給紙トレイ１０の幅方向に移動可能となっていて、給紙トレイ１０に載置された原稿Ｐの幅に合わせて間隔を調整できるようになっている。
【００４０】
また、図６（Ｂ）に示すように、重送検知センサ２２Ａ、２２Ｂは、断面コの字型の筐体７０Ａ、７０Ｂを有していて、筐体７０Ａ、７０Ｂのそれぞれの凹部７１Ａ、７１Ｂを向かい合わせるようにして対向配置されている。重送検知センサ２２Ａの筐体７０Ａには、凹部７１Ａを挟んで上側に超音波信号を発信する発信部７２Ａ、下側に発信部７２Ａから発信された超音波信号を受信する受信部７３Ａが設けられている。同様に、重送検知センサ２２Ｂの筐体７０Ｂにも、凹部７１Ｂを挟んで上側に超音波信号を発信する発信部７２Ｂ、下側に発信部７２Ｂから発信された超音波信号を受信する受信部７３Ｂが設けられている。
【００４１】
尚、媒体ガイド１２Ａとセンサ搭載部６０Ａと筐体７０Ａは、１つの部品として一体に形成されたものであってもよいし、別々の部品として組み立てられたものであってもよい。同様に、媒体ガイド１２Ｂとセンサ搭載部６０Ｂと筐体７０Ｂも、１つの部品として一体に形成されたものであってもよいし、別々の部品として組み立てられたものであってもよい。
【００４２】
重送検知センサ２２Ａは、媒体ガイド１２Ａ、１２Ｂの間隔が原稿Ｐの幅に合わせて調整された場合に、原稿Ｐの幅方向の一端部が凹部７１Ａ内を通過するようになっていて、このとき、受信部７３Ａで受信された超音波信号の信号レベルが、凹部７１Ａ内を通過する原稿Ｐの一端部の重なり具合により変化する。一方、重送検知センサ２２Ｂは、原稿Ｐの幅方向の他端部が凹部７１Ｂ内を通過するようになっていて、このとき、受信部７３Ｂで受信された超音波信号の信号レベルが、凹部７１Ｂ内を通過する原稿Ｐの他端部の重なり具合により変化する。重送検知センサ２２Ａ、２２Ｂは、この信号レベルの変化から、原稿Ｐの通過と重送を検知できるようになっている。すなわち、重送検知センサ２２Ａは、原稿Ｐの幅方向の一端側が通過する、搬送路Ｒ（もしくは給紙トレイ１０）の一端部側に配置され、一方、重送検知センサ２２Ｂは、原稿Ｐの幅方向の一端側は通過せず一端側とは反対側の他端側が通過する、搬送路Ｒ（もしくは給紙トレイ１０）の他端部側に配置されるようになっている。因みに、本実施の形態では、重送検知センサ２２Ａ、２２Ｂが、原稿Ｐの通過枚数を検知するようになっていて、検知結果として０枚、１枚、２枚（又は２枚以上）のいずれかを出力するようになっている。そして、装置制御部５０の検知部５０Ａは、これら重送検知センサ２２Ａ、２２Ｂの検知結果をもとに、原稿Ｐの搬送状態を判断するようになっている。
【００４３】
尚、図６（Ａ）には、重送検知センサ２２Ａの原稿搬送方向の検知位置と、重送検知センサ２２Ｂの原稿搬送方向の検知位置とを給紙トレイ１０の幅方向に結ぶ仮想直線を、重送検知センサ２２Ａ、２２Ｂの検知ラインＤｐとして示している。つまり、重送検知センサ２２Ａ、２２Ｂは、原稿Ｐの幅方向の両端部がこの検知ラインＤｐを通過する際に、原稿Ｐの通過と重送を検知するようになっている。
【００４４】
さらに、重送検知センサ２２Ａ、２２Ｂよりも原稿搬送方向下流側には、搬送ローラ対２３が設けられている。搬送ローラ対２３を構成する駆動ローラ２３Ａと従動ローラ２３Ｂは、それぞれ搬送路Ｒの幅方向に延びるシャフト８０に間隔を空けて複数個設けられている。給紙トレイ１０とその近傍部の構成は、以上のようになっている。
【００４５】
ここで、原稿Ｐの搬送状態と重送検知センサ２２Ａ、２２Ｂの検知結果とについて、図７〜図１２を用いて説明する。図７〜図１１は、原稿Ｐの搬送状態を示す上面図と、重送検知センサ２２Ａ、２２Ｂにより得られる信号レベルの変化を示すグラフである。また、図１２は、装置制御部５０の検知部５０Ａが、原稿Ｐの搬送状態を判断する基準を示す遷移図である。
【００４６】
給紙トレイ１０に載置された原稿Ｐは、媒体ガイド１２Ａ、１２Ｂにより、原稿搬送方向と直交する幅方向の位置が規制された状態で、ホップローラ２０とリタードローラ対２１により、１枚ずつ分離されて搬送される。このとき、原稿Ｐの状態などによっては、媒体ガイド１２Ａ、１２Ｂでは原稿Ｐの幅方向の位置を規制できずに原稿Ｐが斜行してしまったり、リタードローラ対２１では原稿Ｐを１枚ずつ分離できずに原稿Ｐが重送してしまったりする場合がある。
【００４７】
ここで、原稿Ｐが斜行もせず重送もせず正常に搬送された場合、図７（Ａ）に示すように、１枚の原稿Ｐの幅方向の一端部と他端部が、重送検知センサ２２Ａと重送検知センサ２２Ｂとをほぼ同時に通過する。このとき、図７（Ｂ）に示すように、重送検知センサ２２Ａ、２２Ｂにより得られる信号レベルは、ほぼ同時刻に、原稿Ｐが１枚通過していることを示すレベルまで減衰する。この場合、重送検知センサ２２Ａ、２２Ｂは、ほぼ同時刻に、１枚の原稿Ｐが通過したと検知する。
【００４８】
このように、重送検知センサ２２Ａ、２２Ｂが、ほぼ同時刻に、１枚の原稿Ｐが通過したことを検知すると、装置制御部５０の検知部５０Ａは、原稿Ｐの搬送状態が正常であると判断する。このパターンは、図１２に示すパターンＰｔ１である。尚、原稿Ｐが重送検知センサ２２Ａ、２２Ｂに到達する前の時点では、重送検知センサ２２Ａ、２２Ｂによる検知結果は、ともに０枚（つまり１枚も原稿Ｐが通過していない状態）であり、この場合も、装置制御部５０の検知部５０Ａは、原稿Ｐの搬送状態が正常であると判断する。このパターンは、図１２に示すパターンＰｔ０である。
【００４９】
次に、原稿Ｐが斜行はしていないが２枚重なった状態（つまり重送した状態）で、搬送された場合、図８（Ａ）に示すように、上側となる１枚目の原稿Ｐ１の幅方向の一端部と他端部が、重送検知センサ２２Ａと重送検知センサ２２Ｂとをほぼ同時に通過した直後に、１枚目の原稿Ｐの幅方向の一端部及び他端部とともに、下側となる２枚目の原稿Ｐの幅方向の一端部と他端部が、重送検知センサ２２Ａと重送検知センサ２２Ｂとをほぼ同時に通過する。このとき、図８（Ｂ）に示すように、重送検知センサ２２Ａ、２２Ｂにより得られる信号レベルは、ほぼ同時刻に原稿Ｐが２枚通過していることを示すレベルまでほぼ一気に減衰する。
【００５０】
このように、重送検知センサ２２Ａ、２２Ｂが、ほぼ同時刻に２枚の原稿Ｐ１、Ｐ２が通過したことを検知すると、装置制御部５０の検知部５０Ａは、この検知結果（つまり重送を示す検知結果）が所定回数連続して得られた場合に、原稿Ｐの搬送状態が重送であると判断する。このパターンは、図１２に示すパターンＰｔ３Ａである。
【００５１】
次に、原稿Ｐが重送はしていないが斜行している場合、例えば図９（Ａ）に示すように、まず原稿Ｐの幅方向の他端部が重送検知センサ２２Ｂを通過し、その後、時間を空けて原稿Ｐの幅方向の一端部が重送検知センサ２２Ａを通過する。このとき、図９（Ｂ）に示すように、重送検知センサ２２Ｂにより得られる信号レベルが、原稿Ｐが１枚通過していることを示すレベルまで減衰した後、時間を空けて、重送検知センサ２２Ａにより得られる信号レベルが、原稿Ｐが１枚通過していることを示すレベルまで減衰する。
【００５２】
このように、重送検知センサ２２Ａ、２２Ｂのうちの一方が、原稿Ｐが通過したことを検知しているにも関わらず、他方が、原稿Ｐが通過したことを検知していない場合、装置制御部５０の検知部５０Ａは、この検知結果（つまり斜行を示す検知結果）が所定回数連続して得られた場合に、原稿Ｐの搬送状態が斜行であると判断する。このパターンは、図１２に示すパターンＰｔ２である。
【００５３】
また、図示しないが、原稿Ｐが斜行しながら重送している場合、例えば２枚の原稿Ｐの幅方向の他端部が重送検知センサ２２Ｂを同時に通過し、その後、時間を空けて２枚の原稿Ｐの幅方向の一端部が重送検知センサ２２Ａを同時に通過する。このとき、重送検知センサ２２Ａにより得られる信号レベルが、原稿Ｐが２枚通過していることを示すレベルまで一気に減衰した後、時間を空けて、重送検知センサ２２Ｂにより得られる信号レベルが、原稿Ｐが２枚通過していることを示すレベルまで一気に減衰する。
【００５４】
このように、重送検知センサ２２Ａ、２２Ｂのうちの一方が、同時に２枚の原稿Ｐが通過したことを検知している場合、装置制御部５０の検知部５０Ａは、この検知結果（つまり重送を示す検知結果）が所定回数連続して得られた場合に、原稿Ｐの搬送状態が重送であると判断する。このパターンは、図１２に示すパターンＰｔ４Ａである。
【００５５】
尚、上述したように、斜行や重送を示す検知結果が所定回数連続して得られた場合に、原稿Ｐの搬送状態が斜行や重送であると判断するようにした理由の１つは、誤検知を防ぐためであり、もう１つの理由は、媒体ガイド１２Ａ、１２Ｂやリタードローラ対２１などにより、搬送中に原稿Ｐの斜行や重送が解消される場合があるためである。
【００５６】
次に、角部をホチキスなどにより留められた複数枚（例えば２枚）の原稿Ｐ１、Ｐ２が、留められた部分（つまり留め部）９０を原稿搬送方向下流側（つまり先行する側）に向けた状態で搬送された場合、図１０（Ａ）に示すように、まず１枚目の原稿Ｐ１の幅方向の一端部と他端部のうち、留め部９０とは反対側の他端部が、重送検知センサ２２Ｂを通過し、その後、遅れて、２枚目の原稿Ｐ２の他端部が重送検知センサ２２Ｂを通過する。一方、１枚目の原稿Ｐ１の一端部と２枚目の原稿Ｐ２の一端部（つまり留め部９０）は、１枚目の原稿Ｐ１の他端部が重送検知センサ２２Ｂを通過した後、時間を空けて、重送検知センサ２２Ａを同時に通過する。
【００５７】
このとき、原稿Ｐ１、Ｐ２の搬送状態は、２枚目の原稿Ｐ２の他端部が重送検知センサ２２Ｂを通過するタイミングと、原稿Ｐ１、Ｐ２の留め部９０が重送検知センサ２２Ａを通過するタイミングとにより、３つのパターンに分けることができる。これら３つのパターンを、図１３〜図１５に示す。尚、図１３〜図１５では、原稿Ｐ１、Ｐ２と重送検知センサ２２Ａ、２２Ｂ以外の部分については省略している。
【００５８】
１つ目のパターンは、図１０（Ａ）及び図１３に示すように、２枚目の原稿Ｐ２の他端部が重送検知センサ２２Ｂを通過するタイミングと、原稿Ｐ１、Ｐ２の留め部９０が重送検知センサ２２Ａを通過するタイミングとが一致するパターンである。
【００５９】
この場合、図１０（Ｂ）に示すように、重送検知センサ２２Ｂにより得られる信号レベルは、原稿Ｐが１枚通過していることを示すレベルまで減衰した後、時間を空けて、原稿Ｐが２枚通過していることを示すレベルまで減衰する。一方、重送検知センサ２２Ａにより得られる信号レベルは、重送検知センサ２２Ｂにより得られる信号レベルが、原稿Ｐが２枚通過していることを示すレベルまで減衰するのとほぼ同時に、原稿Ｐが２枚通過していることを示すレベルまで一気に減衰する。
【００６０】
このように、重送検知センサ２２Ａ、２２Ｂのうちの一方の検知結果が１枚から２枚へと変化するとともに、他方の検知結果が０枚から２枚に変化した場合、装置制御部５０の検知部５０Ａは、原稿Ｐの搬送状態が留めであると判断する。このパターンは、図１２に示すパターンＰｔ３Ｂである。
【００６１】
２つ目のパターンは、図１４に示すように、２枚目の原稿Ｐ２の他端部が重送検知センサ２２Ｂを通過するタイミングの方が、原稿Ｐ１、Ｐ２の留め部９０が重送検知センサ２２Ａを通過するタイミングより早いパターンである。
【００６２】
この場合、図示しないが、重送検知センサ２２Ｂにより得られる信号レベルは、原稿Ｐが１枚通過していることを示すレベルまで減衰した後、時間を空けて、原稿Ｐが２枚通過していることを示すレベルまで減衰する。一方、重送検知センサ２２Ａにより得られる信号レベルは、重送検知センサ２２Ｂにより得られる信号レベルが、原稿Ｐが２枚通過していることを示すレベルまで減衰した後、時間を空けて、原稿Ｐが２枚通過していることを示すレベルまで一気に減衰する。
【００６３】
このように、重送検知センサ２２Ａ、２２Ｂのうちの一方の検知結果が０枚から１枚へと変化した後、１枚から２枚に変化した場合、装置制御部５０の検知部５０Ａは、原稿Ｐの搬送状態が留めであると判断する。このパターンは、図１２に示すパターンＰｔ４Ｂである。
【００６４】
３つ目のパターンは、図１５に示すように、２枚目の原稿Ｐ２の他端部が重送検知センサ２２Ｂを通過するタイミングより、原稿Ｐ１、Ｐ２の留め部９０が重送検知センサ２２Ａを通過するタイミングの方が早いパターンである。
【００６５】
この場合、図示しないが、重送検知センサ２２Ｂにより得られる信号レベルは、原稿Ｐが１枚通過していることを示すレベルまで減衰した後、時間を空けて、原稿Ｐが２枚通過していることを示すレベルまで減衰する。一方、重送検知センサ２２Ａにより得られる信号レベルは、重送検知センサ２２Ｂにより得られる信号レベルが、原稿Ｐが１枚通過していることを示すレベルまで減衰した後、原稿Ｐが２枚通過していることを示すレベルまで減衰するより前に、原稿Ｐが２枚通過していることを示すレベルまで一気に減衰する。
【００６６】
このように、重送検知センサ２２Ａ、２２Ｂのうちの一方の検知結果が０枚から２枚へと変化したときに、他方の検知結果が１枚の場合、装置制御部５０の検知部５０Ａは、原稿Ｐの搬送状態が留めであると判断する。このパターンは、図１２に示すパターンＰｔ５である。
【００６７】
また一方で、角部をホチキスなどにより留められた複数枚（例えば２枚）の原稿Ｐ１、Ｐ２が、留められた部分（つまり留め部）９０を原稿搬送方向上流側（つまり後行する側）に向けた状態で搬送された場合、図１１（Ａ）に示すように、まず１枚目の原稿Ｐ１の幅方向の一端部と他端部のうち、留め部９０とは反対側の一端部が、重送検知センサ２２Ａを通過し、その後、遅れて、２枚目の原稿Ｐ２の一端部が重送検知センサ２２Ａを通過する。
【００６８】
つまり、この場合、重送検知センサ２２Ａ、２２Ｂの検知結果は、一時的にではあるが、原稿Ｐが斜行している場合と同様の検知結果となる。よってこの場合、装置制御部５０の検知部５０Ａは、原稿Ｐの搬送状態が斜行であると判断する。このパターンは、図１２に示すパターンＰｔ２である。原稿Ｐの搬送状態と重送検知センサ２２Ａ、２２Ｂの検知結果については、以上のようになっている。
【００６９】
［５．搬送状態判断処理］
次に、装置制御部５０の検知部５０Ａが、重送検知センサ２２Ａ、２２Ｂの検知結果をもとに原稿Ｐの搬送状態を判断する処理（これを搬送状態判断処理と呼ぶ）の具体的な手順について、図１６に示すフローチャートを用いて説明する。尚、この搬送状態判断処理は、検知部５０Ａにより、一定時間ごとに繰り返し実行される処理である。
【００７０】
装置制御部５０の検知部５０Ａは、給紙トレイ１０に載置された原稿Ｐの給紙を開始すると、ステップＳＰ１において、重送検知センサ２２Ａの検知結果を取得する。具体的には、重送検知センサ２２Ａから、重送検知センサ２２Ａを通過している原稿Ｐの枚数を取得して、これをａ枚とする。
【００７１】
つづくステップＳＰ２において、検知部５０Ａは、重送検知センサ２２Ｂの検知結果を取得する。具体的には、重送検知センサ２２Ｂから、重送検知センサ２２Ｂを通過している原稿Ｐの枚数を取得して、これをｂ枚とする。
【００７２】
つづくステップＳＰ３において、検知部５０Ａは、重送検知センサ２２Ａ、２２Ｂから今回取得した検知結果（ａ枚、ｂ枚）が、（０枚、０枚）もしくは（１枚、１枚）であるかどうかを判断する。ここで、今回取得した検知結果（ａ枚、ｂ枚）が、（０枚、０枚）もしくは（１枚、１枚）である場合、このことは、原稿Ｐの搬送状態が、図１２に示すパターンＰｔ０もしくはパターンＰｔ１に該当することを意味する。この場合、検知部５０Ａは、ステップＳＰ３で肯定結果を得て、ステップＳＰ４に移り、原稿Ｐの搬送状態が正常であると判断して、この搬送状態（つまり正常）を記憶部５１に記憶する。
【００７３】
さらに検知部５０Ａは、つづくステップＳＰ５で、重送カウンタと斜行カウンタを０にリセットしてステップＳＰ１７に移る。尚、詳しくは後述するが、重送カウンタは、重送が何回連続して検知されているかを示す値であり、斜行カウンタは、斜行が何回連続して検知されているかを示す値である。これら重送カウンタ及び斜行カウンタは、例えば、記憶部５１に記憶される。ステップＳＰ１７において、検知部５０Ａは、今回取得した検知結果（ａ枚、ｂ枚）を、前回の検知結果として例えば記憶部５１に記憶させ、この搬送状態判断処理を終了する。
【００７４】
これに対して、今回取得した検知結果（ａ枚、ｂ枚）が、（０枚、０枚）もしくは（１枚、１枚）でない場合、検知部５０Ａは、ステップＳＰ３で否定結果を得て、ステップＳＰ６に移る。
【００７５】
ステップＳＰ６において、検知部５０Ａは、今回取得した検知結果（ａ枚、ｂ枚）が、（１枚、２枚）もしくは（２枚、１枚）であるかどうかを判断する。ここで、今回取得した検知結果（ａ枚、ｂ枚）が、（１枚、２枚）もしくは（２枚、１枚）である場合、このことは、原稿Ｐの搬送状態が、図１２に示すパターンＰｔ５に該当することを意味する。この場合、検知部５０Ａは、ステップＳＰ６で肯定結果を得て、ステップＳＰ７に移り、原稿Ｐの搬送状態が留めであると判断する。その後、検知部５０Ａは、ステップＳＰ１７に移り、今回取得した検知結果（ａ枚、ｂ枚）を、前回の検知結果として例えば記憶部５１に記憶させ、この搬送状態判断処理を終了する。
【００７６】
これに対して、今回取得した検知結果（ａ枚、ｂ枚）が、（１枚、２枚）もしくは（２枚、１枚）でない場合、検知部５０Ａは、ステップＳＰ６で否定結果を得て、ステップＳＰ８に移る。
【００７７】
ステップＳＰ８において、検知部５０Ａは、今回取得した検知結果（ａ枚、ｂ枚）が、（１枚、０枚）もしくは（０枚、１枚）であるかどうかを判断する。ここで、今回取得した検知結果（ａ枚、ｂ枚）が、（１枚、０枚）もしくは（０枚、１枚）である場合、このことは、原稿Ｐの搬送状態が、図１２に示すパターンＰｔ２に該当することを意味する。この場合、検知部５０Ａは、ステップＳＰ８で肯定結果を得て、ステップＳＰ９に移り、斜行カウンタをインクリメント（＋１）する。
【００７８】
さらに、検知部５０Ａは、つづくステップＳＰ１０において、斜行カウンタの値が予め設定されている規定値（例えば３）以上であるかどうかを判断する。ここで、斜行カウンタの値が規定値以上である場合、このことは、重送検知センサ２２Ａ、２２Ｂから、斜行を示す検知結果が所定回数（つまり規定値）連続して得られたことを意味する。この場合、検知部５０Ａは、ステップＳＰ１０で肯定結果を得て、ステップＳＰ１１に移り、原稿Ｐの搬送状態が斜行であると判断して、この搬送状態（つまり斜行）を記憶部５１に記憶する。その後、検知部５０Ａは、ステップＳＰ１７に移り、今回取得した検知結果（ａ枚、ｂ枚）を、前回の検知結果として例えば記憶部５１に記憶させ、この搬送状態判断処理を終了する。一方で、斜行カウンタの値が規定値未満である場合、検知部５０Ａは、ステップＳＰ１０で否定結果を得て、ステップＳＰ１７に移るようになっている。
【００７９】
これに対して、今回取得した検知結果（ａ枚、ｂ枚）が、（１枚、０枚）もしくは（０枚、１枚）でない場合、検知部５０Ａは、ステップＳＰ８で否定結果を得て、ステップＳＰ１２に移る。この時点で、今回取得した検知結果（ａ枚、ｂ枚）は、（０枚、２枚）、（２枚、０枚）、（２枚、２枚）のいずれかにしぼられる。
【００８０】
ステップＳＰ１２において、検知部５０Ａは、前回取得した検知結果を記憶部５１から読み出し、前回取得した検知結果が（０枚、０枚）、（０枚、２枚）、（２枚、０枚）、（２枚、２枚）のいずれかであるかどうかを判断する。ここで、前回取得した検知結果が（０枚、０枚）、（０枚、２枚）、（２枚、０枚）、（２枚、２枚）のいずれかである場合、このことは、原稿Ｐの搬送状態が、図１２に示すパターンＰｔ３Ａ又はパターンＰｔ４Ａに該当することを意味する。この場合、検知部５０Ａは、ステップＳＰ１２で肯定結果を得て、ステップＳＰ１３に移り、重送カウンタをインクリメント（＋１）する。
【００８１】
さらに、検知部５０Ａは、つづくステップＳＰ１４において、重送カウンタの値が予め設定されている規定値（例えば３）以上であるかどうかを判断する。ここで、重送カウンタの値が規定値以上である場合、このことは、重送検知センサ２２Ａ、２２Ｂから、重送を示す検知結果が所定回数（つまり規定値）連続して得られたことを意味する。この場合、検知部５０Ａは、ステップＳＰ１４で肯定結果を得て、ステップＳＰ１５に移り、原稿Ｐの搬送状態が重送であると判断して、この搬送状態（つまり重送）を記憶部５１に記憶する。その後、検知部５０Ａは、ステップＳＰ１７に移り、今回取得した検知結果（ａ枚、ｂ枚）を、前回の検知結果として例えば記憶部５１に記憶させ、この搬送状態判断処理を終了する。一方で、重送カウンタの値が規定値未満である場合、検知部５０Ａは、ステップＳＰ１４で否定結果を得て、ステップＳＰ１７に移るようになっている。
【００８２】
これに対して、前回取得した検知結果が（０枚、０枚）、（０枚、２枚）、（２枚、０枚）、（２枚、２枚）のいずれでもない場合、検知部５０Ａは、ステップＳＰ１２で否定結果を得て、ステップＳＰ１６に移る。この時点で、原稿Ｐの搬送状態は、図１２に示すパターンＰｔ３Ｂ又はパターンＰｔ４Ｂにしぼられる。
【００８３】
ゆえに、検知部５０Ａは、ステップＳＰ１６において、原稿Ｐの搬送状態が留めであると判断して、この搬送状態（つまり留め）を記憶部５１に記憶する。その後、検知部５０Ａは、ステップＳＰ１７に移り、今回取得した検知結果（ａ枚、ｂ枚）を、前回の検知結果として例えば記憶部５１に記憶させ、この搬送状態判断処理を終了する。搬送状態判断処理の手順は、以上のようになっている。
【００８４】
［６．搬送制御処理］
次に、上述の搬送状態判断処理によって検知部５０Ａが判断した原稿Ｐの搬送状態をもとに、装置制御部５０が原稿Ｐの搬送を制御する処理（これを搬送制御処理と呼ぶ）の具体的な手順について、図１７に示すフローチャートを用いて説明する。尚、この搬送制御処理は、検知部５０Ａが原稿Ｐの搬送状態を判断し終えたタイミングで、装置制御部５０により実行される処理である。
【００８５】
装置制御部５０は、検知部５０Ａが原稿Ｐの搬送状態を判断し終えると、ステップＳＰ２０において、検知部５０Ａにより判断された原稿Ｐの現在の搬送状態を記憶部５１から読み出して、現在の搬送状態が正常であるかどうかを判断する。ここで、現在の搬送状態が正常である場合、装置制御部５０は、ステップＳＰ２０で肯定結果を得て、ステップＳＰ２１に移る。ステップＳＰ２１において、装置制御部５０は、原稿Ｐの搬送をそのまま継続するよう搬送制御部５２に指示を出し、この搬送制御処理を終了する。
【００８６】
これに対して、現在の搬送状態が正常ではなく、斜行、重送、留めのいずれかである場合、装置制御部５０は、ステップＳＰ２０で否定結果を得て、ステップＳＰ２２に移る。ステップＳＰ２２において、装置制御部５０は、原稿Ｐの搬送を停止するよう搬送制御部５２に指示を出すとともに、操作パネル１３にエラー画面を表示させ、この搬送制御処理を終了する。
【００８７】
ここで、操作パネル１３に表示されるエラー画面の例を、図１８（Ａ）〜（Ｃ）に示す。図１８（Ａ）に示すエラー画面Ｓ１は、現在の搬送状態が斜行である場合に、装置制御部５０が操作パネル１３上に表示させる画面である。このエラー画面Ｓ１には、原稿Ｐが斜行しているために原稿Ｐの読み取りを中止した旨を示す文章Ｔｘ１と、斜行しないように原稿Ｐをセットし直すよう利用者に促す文章Ｔｘ２とが表示される。
【００８８】
また、図１８（Ｂ）に示すエラー画面Ｓ２は、現在の搬送状態が重送である場合に、装置制御部５０が操作パネル１３上に表示させる画面である。このエラー画面Ｓ２には、原稿Ｐが重送しているために原稿Ｐの読み取りを中止した旨を示す文章Ｔｘ３と、重送しないように原稿Ｐをセットし直すよう利用者に促す文章Ｔｘ４とが表示される。
【００８９】
さらに、図１８（Ｃ）に示すエラー画面Ｓ３は、現在の搬送状態が留めである場合に、装置制御部５０が操作パネル１３上に表示させる画面である。このエラー画面Ｓ３には、原稿Ｐがホチキスなどにより留められているために原稿Ｐの読み取りを中止した旨を示す文章Ｔｘ５と、原稿Ｐを１枚ずつにばらけさせてセットし直すよう利用者に促す文章Ｔｘ６とが表示される。
【００９０】
このようなエラー画面Ｓ１〜Ｓ３を表示させることで、画像読取装置１は、現在発生している搬送異常（すなわち斜行、重送、留め）と、その解決策とを利用者に確認させることができる。搬送制御処理の手順は、以上のようになっている。
【００９１】
［７．まとめと効果］
ここまで説明したように、画像読取装置１では、リタードローラ対２１よりも原稿搬送方向下流側で原稿Ｐの幅方向に対向配置された、原稿Ｐの幅方向の一端側に位置する重送検知センサ２２Ａと、他端側に位置する重送検知センサ２２Ｂとのそれぞれで、原稿Ｐの通過及び重送を検知するようにした。そして、画像読取装置１では、装置制御部５０の検知部５０Ａが、これら重送検知センサ２２Ａ、２２Ｂの検知結果をもとに、原稿Ｐの搬送状態（正常、斜行、重送、留め）を判断するようにした。
【００９２】
このように、画像読取装置１では、重送検知センサ２２Ａ、２２Ｂとによって重送検知を原稿Ｐの幅方向の両端側で行うようにしたことにより、重送検知を原稿Ｐの中央もしくは幅方向の一端側でのみ行う従来技術と比較して、より迅速に原稿Ｐの重送検知を行うことができる。
【００９３】
ここで、図１３〜図１５を用いて、本実施の形態のように原稿Ｐの幅方向の両端側に設けられた重送検知センサ２２Ａ、２２Ｂにより原稿Ｐの重送検知を行う場合と、原稿Ｐの幅方向の中央に設けられた重送検知センサ１００により原稿Ｐの重送検知を行う場合の、原稿Ｐの重送を検知するまでの時間を比較する。尚、例えば、図１３に示すように、重送検知センサ１００は、原稿搬送方向の読取位置が、重送検知センサ２２Ａ、２２Ｂの検知ラインＤｐ上に位置するように設けられているとする。
【００９４】
まず、図１３に示すように、原稿Ｐ１、Ｐ２が、留め部９０を原稿搬送方向下流側に向けた状態で搬送され、且つ１枚目の原稿Ｐ１については幅方向の他端部が先行するように斜行し、２枚面の原稿Ｐ２については斜行せずに搬送される場合について、重送を検知するまでの時間を比較する。この場合、重送検知センサ１００は、２枚目の原稿Ｐ２の原稿搬送方向下流側の一辺が検知ラインＤｐ上に位置する重送検知センサ１００の読取位置に達した時点で、原稿Ｐ１、Ｐ２の重送検知が可能となる。
【００９５】
より具体的には、１枚目の原稿Ｐ１の原稿搬送方向の最先端が検知ラインＤｐに達した時点で、重送検知センサ１００の読取位置から２枚目の原稿Ｐ２の原稿搬送方向下流側の一辺までは距離ｔ１ｂ＋ｔ１ｃだけ離れている。ゆえに、重送検知センサ１００では、１枚目の原稿Ｐ１の原稿搬送方向の最先端が検知ラインＤｐに達した後、原稿Ｐ１、Ｐ２が、距離ｔ１ｂ＋ｔ１ｃだけ搬送された時点で、重送検知が可能となる。
【００９６】
また、この場合、重送検知センサ２２Ａ、２２Ｂについても、２枚目の原稿Ｐ２の原稿搬送方向下流側の一辺が、検知ラインＤｐ上に位置するそれぞれの読取位置に達した時点で、原稿Ｐ１、Ｐ２の重送検知が可能となる。
【００９７】
より具体的には、１枚目の原稿Ｐ１の原稿搬送方向の最先端が検知ラインＤｐに達した時点で、重送検知センサ２２Ａの読取位置から２枚目の原稿Ｐ２の原稿搬送方向下流側の一辺までは距離ｔ１ａだけ離れている。ゆえに、重送検知センサ２２Ａでは、１枚目の原稿Ｐ１の原稿搬送方向の最先端が検知ラインＤｐに達した後、原稿Ｐ１、Ｐ２が、距離ｔ１ａだけ搬送された時点で、重送検知が可能となる。一方で、１枚目の原稿Ｐ１の原稿搬送方向の最先端が検知ラインＤｐに達した時点で、重送検知センサ２２Ｂの読取位置から２枚目の原稿Ｐ２の原稿搬送方向下流側の一辺までは距離ｔ１ｄ＋ｔ１ｅだけ離れている。ゆえに、重送検知センサ２２Ｂでは、１枚目の原稿Ｐ１の原稿搬送方向の最先端が検知ラインＤｐに達した後、原稿Ｐ１、Ｐ２が、距離ｔ１ｄ＋ｔ１ｅだけ搬送された時点で、重送検知が可能となる。
【００９８】
ここで、重送検知センサ２２Ａ、２２Ｂ、及び重送検知センサ１００の読取位置を示す検知ラインＤｐと、２枚目の原稿Ｐ２の原稿搬送方向下流側の一辺は平行であり、このため、距離ｔ１ａ＝距離ｔ１ｂ＋ｔ１ｃ＝距離ｔ１ｄ＋ｔ１ｅの関係が成り立つ。このことから、原稿Ｐが図１３に示す搬送状態にある場合、本実施の形態の画像読取装置１のように原稿Ｐの幅方向の両端部に設けられた重送検知センサ２２Ａ、２２Ｂで重送検知を行う場合と、原稿Ｐの幅方向の中央に設けられた重送検知センサ１００で重送検知を行う場合とで、原稿Ｐの重送を検知するまでの時間が等しくなる。つまり、この場合、本実施の形態の画像読取装置１は、原稿Ｐの幅方向の中央に設けられた重送検知センサ１００で重送検知を行う場合と、同程度の時間で原稿Ｐの重送を検知できる。
【００９９】
次に、図１４に示すように、原稿Ｐ１、Ｐ２が、留め部９０を原稿搬送方向下流側に向けた状態で搬送され、且つ１枚目の原稿Ｐ１については幅方向の他端部が先行するように斜行し、２枚面の原稿Ｐ２についても原稿Ｐ１ほどではないが幅方向の他端部が先行するように斜行している場合について説明する。この場合も、重送検知センサ１００は、２枚目の原稿Ｐ２の原稿搬送方向下流側の一辺が検知ラインＤｐ上に位置する重送検知センサ１００の読取位置に達した時点で、原稿Ｐ１、Ｐ２の重送検知が可能となる。
【０１００】
より具体的には、１枚目の原稿Ｐ１の原稿搬送方向の最先端が検知ラインＤｐに達した時点で、重送検知センサ１００の読取位置から２枚目の原稿Ｐ２の原稿搬送方向下流側の一辺までは距離ｔ２ｂ＋ｔ２ｃだけ離れている。ゆえに、重送検知センサ１００では、１枚目の原稿Ｐ１の原稿搬送方向の最先端が検知ラインＤｐに達した後、原稿Ｐ１、Ｐ２が、距離ｔ２ｂ＋ｔ２ｃだけ搬送された時点で、重送検知が可能となる。
【０１０１】
また、この場合、重送検知センサ２２Ａ、２２Ｂについても、２枚目の原稿Ｐ２の原稿搬送方向下流側の一辺が、検知ラインＤｐ上に位置するそれぞれの読取位置に達した時点で、原稿Ｐ１、Ｐ２の重送検知が可能となる。
【０１０２】
より具体的には、１枚目の原稿Ｐ１の原稿搬送方向の最先端が検知ラインＤｐに達した時点で、重送検知センサ２２Ａの読取位置から２枚目の原稿Ｐ２の原稿搬送方向下流側の一辺までは距離ｔ２ａだけ離れている。ゆえに、重送検知センサ２２Ａでは、１枚目の原稿Ｐ１の原稿搬送方向の最先端が検知ラインＤｐに達した後、原稿Ｐ１、Ｐ２が、距離ｔ２ａだけ搬送された時点で、重送検知が可能となる。一方で、１枚目の原稿Ｐ１の原稿搬送方向の最先端が検知ラインＤｐに達した時点で、重送検知センサ２２Ｂの読取位置から２枚目の原稿Ｐ２の原稿搬送方向下流側の一辺までは距離ｔ２ｄ＋ｔ２ｅだけ離れている。ゆえに、重送検知センサ２２Ｂでは、１枚目の原稿Ｐ１の原稿搬送方向の最先端が検知ラインＤｐに達した後、原稿Ｐ１、Ｐ２が、距離ｔ２ｄ＋ｔ２ｅだけ搬送された時点で、重送検知が可能となる。
【０１０３】
ここで、重送検知センサ２２Ａ、２２Ｂ、及び重送検知センサ１００の読取位置を示す検知ラインＤｐに対して、２枚目の原稿Ｐ２の原稿搬送方向下流側の一辺は、幅方向の一端部よりも他端部が検知ラインＤｐに近くなるように傾いている。このため、距離ｔ２ａ＞距離ｔ２ｂ＋ｔ２ｃ＞距離ｔ２ｄ＋ｔ２ｅの関係が成り立つ。つまり、この場合、重送検知センサ２２Ａ、２２Ｂ、１００のうち、原稿Ｐの幅方向の他端部側に位置する重送検知センサ２２Ｂが、最も早く重送を検知することができる。
【０１０４】
このことから、原稿Ｐが図１４に示す搬送状態にある場合、本実施の形態の画像読取装置１は、原稿Ｐの幅方向の中央に設けられた重送検知センサ１００で重送検知を行う場合と比べて、より迅速に、原稿Ｐの重送を検知することができる。
【０１０５】
次に、図１５に示すように、原稿Ｐ１、Ｐ２が、留め部９０を原稿搬送方向下流側に向けた状態で搬送され、且つ１枚目の原稿Ｐ１については幅方向の他端部が先行するように斜行し、２枚面の原稿Ｐ２については幅方向の一端部（つまり留め部９０）が先行するように斜行している場合について説明する。この場合も、重送検知センサ１００は、２枚目の原稿Ｐ２の原稿搬送方向下流側の一辺が検知ラインＤｐ上に位置する重送検知センサ１００の読取位置に達した時点で、原稿Ｐ１、Ｐ２の重送検知が可能となる。
【０１０６】
より具体的には、１枚目の原稿Ｐ１の原稿搬送方向の最先端が検知ラインＤｐに達した時点で、重送検知センサ１００の読取位置から２枚目の原稿Ｐ２の原稿搬送方向下流側の一辺までは距離ｔ３ｂ＋ｔ３ｃだけ離れている。ゆえに、重送検知センサ１００では、１枚目の原稿Ｐ１の原稿搬送方向の最先端が検知ラインＤｐに達した後、原稿Ｐ１、Ｐ２が、距離ｔ３ｂ＋ｔ３ｃだけ搬送された時点で、重送検知が可能となる。
【０１０７】
また、この場合、重送検知センサ２２Ａ、２２Ｂについても、２枚目の原稿Ｐ２の原稿搬送方向下流側の一辺が、検知ラインＤｐ上に位置するそれぞれの読取位置に達した時点で、原稿Ｐ１、Ｐ２の重送検知が可能となる。
【０１０８】
より具体的には、１枚目の原稿Ｐ１の原稿搬送方向の最先端が検知ラインＤｐに達した時点で、重送検知センサ２２Ａの読取位置から２枚目の原稿Ｐ２の原稿搬送方向下流側の一辺までは距離ｔ３ａだけ離れている。ゆえに、重送検知センサ２２Ａでは、１枚目の原稿Ｐ１の原稿搬送方向の最先端が検知ラインＤｐに達した後、原稿Ｐ１、Ｐ２が、距離ｔ３ａだけ搬送された時点で、重送検知が可能となる。一方で、１枚目の原稿Ｐ１の原稿搬送方向の最先端が検知ラインＤｐに達した時点で、重送検知センサ２２Ｂの読取位置から２枚目の原稿Ｐ２の原稿搬送方向下流側の一辺までは距離ｔ３ｄ＋ｔ３ｅだけ離れている。ゆえに、重送検知センサ２２Ｂでは、１枚目の原稿Ｐ１の原稿搬送方向の最先端が検知ラインＤｐに達した後、原稿Ｐ１、Ｐ２が、距離ｔ３ｄ＋ｔ３ｅだけ搬送された時点で、重送検知が可能となる。
【０１０９】
ここで、重送検知センサ２２Ａ、２２Ｂ、及び重送検知センサ１００の読取位置を示す検知ラインＤｐに対して、２枚目の原稿Ｐ２の原稿搬送方向下流側の一辺は、幅方向の他端部よりも一端部が検知ラインＤｐに近くなるように傾いている。このため、距離ｔ３ａ＜距離ｔ３ｂ＋ｔ３ｃ＜距離ｔ３ｄ＋ｔ３ｅの関係が成り立つ。つまり、この場合、重送検知センサ２２Ａ、２２Ｂ、１００のうち、原稿Ｐの幅方向の一端部側に位置する重送検知センサ２２Ａが、最も早く重送を検知することができる。
【０１１０】
このことから、原稿Ｐが図１５に示す搬送状態にある場合、本実施の形態の画像読取装置１は、原稿Ｐの幅方向の中央に設けられた重送検知センサ１００で重送検知を行う場合と比べて、より迅速に、原稿Ｐの重送を検知することができる。このように、本実施の形態の画像読取装置１は、原稿Ｐの幅方向の中央に設けられた重送検知センサ１００で重送検知を行う場合と比べて、より迅速に原稿Ｐの重送を検知できることがわかる。
【０１１１】
次に、本実施の形態の画像読取装置１のように原稿Ｐの幅方向の両端側に設けられた重送検知センサ２２Ａ、２２Ｂにより原稿Ｐの重送検知を行う場合と、原稿Ｐの幅方向の両端側に設けられた重送検知センサ２２Ａ、２２Ｂのどちらか一方のみで原稿Ｐの重送検知を行う場合の、原稿Ｐの重送を検知するまでの時間を比較する。
【０１１２】
例えば図１４に示す状態で原稿Ｐ１、Ｐ２が搬送された場合、上述したように、距離ｔ２ａ＞距離ｔ２ｄ＋ｔ２ｅとなるため、例えば留め部９０側に位置する重送検知センサ２２Ａのみで原稿Ｐの重送検知を行うようになっていると、本実施の形態の画像読取装置１のように重送検知センサ２２Ａ、２２Ｂの両方で重送検知を行う場合と比較して、重送を検知するまでに要する時間が長くなる。
【０１１３】
また、例えば図１５に示す状態で原稿Ｐ１、Ｐ２が搬送された場合、上述したように、距離ｔ３ａ＜距離ｔ３ｄ＋ｔ３ｅとなるため、例えば留め部９０とは反対側に位置する重送検知センサ２２Ｂのみで原稿Ｐの重送検知を行うようになっていると、本実施の形態の画像読取装置１のように重送検知センサ２２Ａ、２２Ｂの両方で重送検知を行う場合と比較して、重送を検知するまでに要する時間が長くなる。
【０１１４】
このように、重送検知センサ２２Ａ、２２Ｂのどちらか一方のみで原稿Ｐの重送検知を行う場合、原稿Ｐ１、Ｐ２の搬送状態によっては、本実施の形態の画像読取装置１のように重送検知センサ２２Ａ、２２Ｂの両方で重送検知を行う場合と比較して、重送を検知するまでに要する時間が長くなる。このことから、本実施の形態の画像読取装置１は、原稿Ｐの幅方向の両端部に設けられた重送検知センサ２２Ａ、２２Ｂのどちらか一方のみで原稿Ｐの重送検知を行う場合と比べて、より迅速に、原稿Ｐの重送を検知できることがわかる。
【０１１５】
このように、本実施の形態の画像読取装置１は、重送検知を原稿Ｐの中央もしくは幅方向の一端側でのみ行う場合と比較して、より迅速に原稿Ｐの重送検知を行うことができるので、従来と比べてより迅速に搬送異常を検知できる。そして、画像読取装置１では、原稿Ｐの搬送異常を検知すると、直ちに原稿Ｐの搬送を停止するなどの処置を行うことで、原稿Ｐが破損してしまう状況をより確実に回避することができる。
【０１１６】
また、画像読取装置１では、原稿Ｐ１、Ｐ２の角部がホチキスなどにより留められている場合に、原稿Ｐ１、Ｐ２の留め部９０側となる幅方向の一端部側と、留め部９０とは反対側となる幅方向の他端部側の両方で、重送検知センサ２２Ａ、２２Ｂにより、原稿Ｐ１、Ｐ２の通過及び重送を検知するようにしたことにより、原稿Ｐ１、Ｐ２がホチキスなどにより留められていることまで検知できる。つまり、本実施の形態の画像読取装置１では、原稿Ｐの搬送異常として従来から検知可能であった斜行及び重送にくわえて、従来では検知できなかったもしくは検知が困難であった留めも検知できる。そして、画像読取装置１は、原稿Ｐの搬送異常が発生した場合に、検知部５０Ａにより発生している搬送異常を判断して、発生している搬送異常（つまり検知部５０Ａによる判断結果）を示すエラー画面Ｓ１〜Ｓ３を操作パネル１３に表示させることで、斜行、重送、留めのうちのどの搬送異常が発生しているのかを利用者に確認させることができる。
【０１１７】
さらに、本実施の形態の画像読取装置１では、２つの重送検知センサ２２Ａ、２２Ｂで原稿Ｐの搬送異常を検知するようにしたことにより、センサ数を抑えた簡易な構成でありながら、原稿Ｐの搬送異常を迅速に検知できる。
【０１１８】
［８．他の実施の形態］
［８−１．他の実施の形態１］
上述した実施の形態では、可動式の媒体ガイド１２Ａ、１２Ｂに、センサ搭載部６０Ａ、６０Ｂを介して重送検知センサ２２Ａ、２２Ｂを設け、原稿Ｐの幅に合わせて、媒体ガイド１２Ａ、１２Ｂとともに重送検知センサ２２Ａ、２２Ｂの間隔を調整できるようにした。
【０１１９】
これに限らず、例えば、重送検知センサ２２Ａ、２２Ｂを、媒体ガイド１２Ａ、１２Ｂから独立させるとともに、媒体ガイド１２Ａ、１２Ｂと重送検知センサ２２Ａ、２２Ｂを、ギヤなどの連結部品により連結させることで、媒体ガイド１２Ａ、１２Ｂと連動して、重送検知センサ２２Ａ、２２Ｂが移動するようにしてもよい。
【０１２０】
またこれに限らず、例えば、画像読取装置１で読み取る原稿Ｐの幅が固定であり、媒体ガイド１２Ａ、１２Ｂが可動式ではなく固定式である場合には、重送検知センサ２２Ａ、２２Ｂも同様に可動式ではなく固定式とすればよい。またこれに限らず、例えば、媒体ガイド１２Ａ、１２Ｂのうちの一方のみが可動式である場合には、重送検知センサ２２Ａ、２２Ｂも同様に一方のみを可動式とすればよい。
【０１２１】
［８−２．他の実施の形態２］
また、上述した実施の形態では、重送検知センサ２２Ａ、２２Ｂから原稿Ｐが斜行していることを示す検知結果が規定値の回数（例えば３回）連続して得られた場合に、検知部５０Ａが原稿Ｐの搬送状態を斜行と判断するようにし、また、重送検知センサ２２Ａ、２２Ｂから原稿Ｐが重送していることを示す検知結果が規定値の回数（例えば３回）連続して得られた場合に、検知部５０Ａが原稿Ｐの搬送状態を重送と判断するようにした。
【０１２２】
ここで、例えば、原稿Ｐが斜行していると判断する際の基準となる規定値と、原稿Ｐが重送していると判断する際の基準となる規定値は、同一の値であってもよいし、別々の値であってもよい。例えば、斜行と重送のうち、原稿Ｐを搬送中に解消される可能性が高い方を、解消される可能性が低い方よりも、規定値を多くするなどしてもよい。
【０１２３】
さらに、上述した実施の形態では、重送検知センサ２２Ａ、２２Ｂから原稿Ｐがホチキスなどにより留められていることを示す検知結果が得られた場合には、検知部５０Ａが原稿Ｐの搬送状態を留めと判断するようにした。ここで、検知部５０Ａが留めと判断する場合にも規定値を設け、重送検知センサ２２Ａ、２２Ｂから原稿Ｐがホチキスなどにより留められていることを示す検知結果が規定値の回数連続して得られた場合に、検知部５０Ａが原稿Ｐの搬送状態を斜行と判断するようにしてもよい。
【０１２４】
原稿Ｐがホチキスなどにより留められていると判断する際の基準となる規定値についても、斜行の規定値及び重送の規定値と同一の値であってもよいし、別々の値であってもよい。実際、原稿Ｐの留めは、斜行及び重送と比較して搬送中に解消される可能性が低いと考えられるので、斜行の規定値及び重送の規定値より小さくすることが望ましい。
【０１２５】
［８−３．他の実施の形態３］
さらに、上述した実施の形態では、重送検知センサ２２Ａ、２２Ｂの検知結果をもとに検知部５０Ａが、搬送異常が発生していると判断した場合に、装置制御部５０が、原稿Ｐの搬送を停止するよう搬送制御部５２に指示を出し、操作パネル１３にエラー画面Ｓ１〜Ｓ３を表示させるようにした。これに限らず、検知部５０Ａが、搬送異常が発生していると判断した場合に、装置制御部５０が、例えば、原稿Ｐを逆方向に搬送して一旦給紙トレイ１０側に戻してから、再度、原稿Ｐを搬送するよう搬送制御部５２に指示を出すようにして、その後、再び検知部５０Ａが、同様の搬送異常が発生していると判断した場合に、原稿Ｐの搬送を停止するよう搬送制御部５２に指示を出し、操作パネル１３にエラー画面Ｓ１〜Ｓ３を表示させるようにしてもよい。
【０１２６】
［８−４．他の実施の形態４］
さらに、上述した実施の形態では、重送検知センサ２２Ａ、２２Ｂが、受信した超音波信号の信号レベルをもとに原稿Ｐの通過枚数を検知して、これを検知部５０Ａへと出力するようにしたが、これに限らず、検知部５０Ａが、重送検知センサ２２Ａ、２２Ｂのそれぞれから信号レベルを取得し、この信号レベルをもとに、原稿Ｐの通過枚数を検知するようにしてもよい。
【０１２７】
［８−５．他の実施の形態５］
さらに、上述した実施の形態では、第１のセンサの具体例である重送検知センサ２２Ａと、第２のセンサの具体例である重送検知センサ２２Ｂとして、透過型の超音波センサを用いたが、これに限らず、原稿Ｐなどの媒体の通過及び重送を検知できるものであれば、他のセンサ（反射型の超音波センサ、透過型の光電センサ、反射型の光電センサなど）を用いてもよい。
【０１２８】
［８−６．他の実施の形態６］
さらに、上述した実施の形態では、媒体搬送装置３、及びこの媒体搬送装置３を備えた画像読取装置１に本発明を適用したが、これに限らず、例えば、媒体の斜行及び重送を検知する機能を持つものであれば、媒体搬送装置３及び画像読取装置１とは異なる媒体搬送装置及び画像読取装置にも適用できる。具体的には、例えば、片面読取機能しか持たない画像読取装置に適用してもよい。また、本発明を、例えば、手差しトレイに載置された用紙などの媒体を給紙する媒体搬送装置、及びこの媒体搬送装置を備えたプリンタなどの画像形成装置にも適用してもよい。
【０１２９】
［８−７．他の実施の形態７］
さらに、上述した各実施の形態では、媒体搬送装置３に、給紙部の具体例であるホップローラ２０を設けた。これに限らず、媒体搬送装置３に、ホップローラ２０とは異なる構成の給紙部を設けるようにしてもよい。さらに、上述した各実施の形態では、媒体搬送装置３に、第１の媒体ガイドの具体例である媒体ガイド１２Ａと、第２の媒体ガイドの具体例である媒体ガイド１２Ｂを設けた。これに限らず、媒体搬送装置３に、媒体ガイド１２Ａ及び媒体ガイド１２Ｂとは異なる構成の第１の媒体ガイド及び第２の媒体ガイドを設けるようにしてもよい。さらに、上述した各実施の形態では、媒体搬送装置３に、検知部による判断結果を示す画面を表示する表示部の具体例である操作パネル１３を設けた。これに限らず、媒体搬送装置３に、操作パネル１３とは異なる表示部を設けるようにしてもよい。
【０１３０】
さらに、上述した各実施の形態では、媒体搬送装置３に、媒体を１枚ずつ分離して搬送する分離部の具体例として、フィードローラ２１Ａとリタードローラ２１Ｂとでなるリタードローラ対２１を設けた、これに限らず、媒体搬送装置３に、リタードローラ対２１とは異なる構成の分離部を設けるようにしてもよい。例えば、リタードローラ２１Ｂの代わりに、コルクやゴムパッドなどの高摩擦部材を設けるようにしてもよい。また、上述した実施の形態のリタードローラ対２１では、フィードローラ２１Ａとリタードローラ２１Ｂとの間に原稿Ｐが２枚以上重なった状態で送られてくると、リタードローラ２１Ｂがトルクリミッタにより回転を停止して最上部の原稿Ｐのみを通過させるようにしたが、これに限らず、リタードローラ２１Ｂも駆動できるようにして、フィードローラ２１Ａとリタードローラ２１Ｂとの間に原稿Ｐが２枚以上重なった状態で送られてくると、リタードローラ２１Ｂがトルクリミッタによりフィードローラ２１Ａとは逆方向に回転して最上部の原稿Ｐのみを通過させるとともに、残りの原稿Ｐを給紙トレイ１０側に戻すようにしてもよい。
【０１３１】
［８−８．他の実施の形態８］
さらに、本発明は、上述した各実施の形態に限定されるものではない。すなわち本発明は、上述した各実施の形態の一部または全部を任意に組み合わせた実施の形態や、一部を抽出した実施の形態にもその適用範囲が及ぶものである。
【産業上の利用可能性】
【０１３２】
本発明は、例えば、スキャナ、コピー機、ファクシミリ、複合機などの画像読取装置として広く利用することができる。
【符号の説明】
【０１３３】
１……画像読取装置、２……フラットベッドユニット、３……媒体搬送装置、１０……給紙トレイ、１２Ａ、１２Ｂ……媒体ガイド、１３……操作パネル、２０……ホップローラ、２１……リタードローラ対、２２Ａ、２２Ｂ、１００……重送検知センサ、２６……レジストローラ対、５０……装置制御部、５０Ａ……検知部、５１……記憶部、５２……搬送制御部、５３……画像読取部、６０……センサ搭載部、９０……留め部、Ｄｐ……検知ライン、Ｐ、Ｐ１、Ｐ２……原稿、Ｒ……搬送路、Ｓ１、Ｓ２、Ｓ３……エラー画面。
【図１】
2019193219.tif 000003
【図２】
2019193219.tif 000004
【図３】
2019193219.tif 000005
【図４】
2019193219.tif 000006
【図５】
2019193219.tif 000007
【図６】
2019193219.tif 000008
【図７】
2019193219.tif 000009
【図８】
2019193219.tif 000010
【図９】
2019193219.tif 000011
【図１０】
2019193219.tif 000012
【図１１】
2019193219.tif 000013
【図１２】
2019193219.tif 000014
【図１３】
2019193219.tif 000015
【図１４】
2019193219.tif 000016
【図１５】
2019193219.tif 000017
【図１６】
2019193219.tif 000018
【図１７】
2019193219.tif 000019
【図１８】
2019193219.tif 000020